(57)【要約】【課題】特殊な仕掛けを必要とせず、またストッパー板を使用しなくとも通水路を容易に形成可能な通水路形成パイプ部材、この通水路形成パイプ部材を用いた通水路を有する地中連続壁、その通水路形成方法を提供する。【解決手段】地中連続壁を水平に貫通する通水路として通水路形成パイプ部材１を埋設する。通水路形成パイプ部材１は地中連続壁補強用断面Ｈ型の鋼製部材４のフランジ部６，６に設けられた穴部に両端が開口した状態に取り付けられた水平なパイプ部２と、この水平なパイプ部２に接続され、鋼製部材４のウェブ部５に取り付けられた垂直なパイプ部３とから形成し、水平なパイプ部２と垂直なパイプ部３とは互いに連通している。【選択図】　　　　　　　　　　　　図２
2004092180.tif 000002
【特許請求の範囲】
【請求項１】
両端が開口した水平なパイプ部とこの水平なパイプ部に接続された垂直なパイプ部とから形成されていると共に、前記水平なパイプ部と垂直なパイプ部とが互いに連通してなることを特徴とする地中連続壁の通水路形成パイプ部材。
【請求項２】
地中連続壁補強用断面Ｈ型の鋼製部材のフランジ部に設けられた穴部に両端が開口した状態に取り付けられる水平なパイプ部と、この水平なパイプ部に接続され、前記鋼製部材のフランジ部またはウェブ部の少なくとも一方に取り付けられる垂直なパイプ部とから形成されていると共に、前記水平なパイプ部と垂直なパイプ部とが互いに連通してなることを特徴とする地中連続壁の通水路形成パイプ部材。
【請求項３】
地中連続壁を水平に貫通する通水路として通水路形成パイプ部材が埋設されてなる地中連続壁において、前記通水路形成パイプ部材は地中連続壁補強用断面Ｈ型の鋼製部材のフランジ部に設けられた穴部に両端が開口した状態に取り付けられた水平なパイプ部と、この水平なパイプ部に接続され、前記鋼製部材のフランジ部またはウェブ部の少なくとも一方に取り付けられた垂直なパイプ部とから形成されていると共に、前記水平なパイプ部と垂直なパイプ部とが互いに連通してなることを特徴とする通水路を有する地中連続壁。
【請求項４】
両端が開口した水平なパイプ部とこの水平なパイプ部に接続された垂直なパイプ部とから形成されていると共に、前記水平なパイプ部と垂直なパイプ部とが互いに連通してなる通水路形成パイプ部材を、水平なパイプ部の両開口端を封鎖材で塞いで地中連続壁のソイルセメント内に沈設し、前記ソイルセメントが流動性を失った後、前記垂直なパイプ部内に下端に横向きの噴射口を有する噴射装置を挿入し、前記水平なパイプ部材内の位置で噴射装置から高圧水を噴射することを特徴とする地中連続壁の通水路形成方法。
【発明の詳細な説明】
【０００１】
【発明の属する技術分野】
本願発明は地下水の通水路を有する地中連続壁、地中連続壁に地下水の通水路を形成する方法および地中連続壁に地下水の通水路を形成する通水路形成用パイプ部材に関するものである。
【０００２】
【従来の技術】
地中連続壁を構築すると、その地中連続壁により地下水流が遮断され、上流側の地下水位の上昇や下流側の地下水位の低下など、地中連続壁の存在が地下水流の挙動に大きな影響を与えるので、従来から地中連続壁に地下水を通すための通水路を確保する試みが種々提案されている。
【０００３】
例えば、特開平０７−７６８２８号公報では、地中連続壁を構築する際に、ウォータージェットノズル部を有する高圧パイプを保護筒によって周囲を保護した状態で予め埋設し、地中連続壁の構築が終了した後、ウォータージェットノズル部から高圧水を噴射させることにより、地中連続壁の一部を破砕して地中連続壁を横断する方向に貫通する空間（通水路）を形成することが提案されている。
【０００４】
しかしながら、この方法では地中連続壁を横断する方向に貫通する空間（通水路）の形状を制御することは困難であり、単なるひび割れになる恐れがある。
【０００５】
それ故、特開平０８−２８４１５４号公報では、バネを内在することにより外方へ伸長可能とした水平なパイプ材を予めＨ型鋼材のフランジ部に設けた孔に装着させると共に、そのフランジ部の外側にストッパー板を沿わせることにより、パイプ材のバネ材による伸長を制限する構成になっている。
【０００６】
このようなストッパー板とパイプ材付きのＨ型鋼材をソイルセメントの地中連続壁中に沈設し、その後、ソイルセメントが固化する前に、ストッパー板を上方に引き抜いて撤去することにより、パイプ材を地下水が通る通水路とすることが提案されている。
【０００７】
また、特開平１０−３１７３７０号公報には、両端を封鎖材で塞がれた水平なパイプ材をＨ型鋼材のフランジ部に設けた孔に予め装着させると共に、地上に続く圧力ホースによって外側に張り出すように構成された押し出し装置を前記のパイプ材内に内蔵させ、その押し出しにより外側に押し出される内管を前記のパイプ材内に内蔵させ、地中連続壁の構築後、圧力パイプに油圧を掛け内管を張り出すことにより水平なパイプ材の封鎖材を破砕し、パイプ材を地下水が通る通水路とすることが提案されている。
【０００８】
【発明が解決しようとする課題】
しかし、特開平０８−２８４１５４号公報に開示された技術は、バネが内蔵された特殊な水平パイプを使用する必要がある。また、ストッパー板を引き抜く必要があり、さらにＨ形鋼の両フランジ部の外側で地中連続壁鋼製部材であるソイルセメントなどとの間で間隙を生じるばかりでなく、ソイルセメントなどの硬化によりストッパー板材の引き揚げ作業が困難になる恐れがある。
【０００９】
また、特開平１０−３１７３７０号公報に開示された技術は、地上に連続した圧力パイプとその圧力により内管を押し出すための押し出し装置が必要な技術であり、これらの圧力パイプと押し出し装置は地中に埋め込まれ、回収不可能であるため非常に高価なものになっている。
【００１０】
このように、いずれもパイプ内に特殊な仕掛けが必要であり、非常に高価になるという課題がある。
【００１１】
本願発明の目的は、水平なパイプ内に特殊な仕掛けを必要とせず、またストッパー板を使用しなくとも、地下水が通る通水路を容易に形成可能な通水路形成パイプ部材、このパイプ部材が用いられた地中連続壁および地中連続壁の通水路形成方法を提供することである。
【００１２】
【課題を解決するための手段】
請求項１記載の地中連続壁の通水路形成パイプ部材は、両端が開口した水平なパイプ部とこの水平なパイプ部の両端近くに設けられた垂直なパイプ部とから形成されていると共に、前記水平なパイプ部と垂直なパイプ部とが互いに連通してなることを特徴とするものである。
【００１３】
請求項２記載の地中連続壁の通水路形成パイプ部材は、地中連続壁補強用断面Ｈ型の鋼製部材のフランジ部に設けられた穴部に両端が開口した状態に取り付けられる水平なパイプ部と、この水平なパイプ部に接続され、前記鋼製部材のフランジ部またはウェブ部の少なくとも一方に取り付けられる垂直なパイプ部とから形成されてなることを特徴とするものである。
【００１４】
請求項３記載の通水路を有する地中連続壁は、地中連続壁を水平に貫通した通水路として通水用パイプ部材が埋設されてなる地中連続壁において、前記通水用パイプ部材は地中連続壁補強用断面Ｈ型の鋼製部材のフランジ部に設けられた穴部に両端が開口した状態に取り付けられた水平なパイプ部と、この水平なパイプ部に接続され、前記鋼製部材のフランジ部またはウェブ部の少なくとも一方に取り付けられた垂直なパイプ部とから形成されてなることを特徴とするものである。
【００１５】
請求項４記載の地中連続壁の通水路形成方法は、両端が開口した水平なパイプ部とこの水平なパイプ部に接続された垂直なパイプ部とからなる通水路形成パイプ部材を、水平なパイプ部の両開口端を封鎖材で塞いで地中連続壁のソイルセメント内に沈設し、前記ソイルセメントが流動性を失った後、前記垂直なパイプ部内に下端に横向きの噴射口を有する噴射装置を挿入し、前記水平なパイプ部材内の位置で噴射装置から高圧水を噴射することを特徴とするものである。
【００１６】
すなわち、本願発明の地中連続壁の通水路形成パイプ部材は、両端が開口した水平なパイプ部とこの水平なパイプ部に接続された垂直なパイプ部とから形成されていると共に、前記の垂直なパイプ部と水平なパイプ部が互いに連通している。
【００１７】
そして本願発明の更に好ましい地中連続壁の通水路形成パイプ部材は、両端が開口した水平なパイプ部とこの水平なパイプ部に接続された垂直なパイプ部とからなり、垂直なパイプ部は水平なパイプ部の両端近くに接続されていると共に、垂直なパイプ部と水平なパイプ部が互いに連通している。
【００１８】
この通水路形成パイプ部材は、下記のように地中連続壁補強用断面Ｈ型の鋼製部材と一体的に構成されている方が地中連続壁の施工の際に、パイプ部材の沈設と地中壁補強鋼材としてのＨ型鋼材の沈設が一工程で行えるので好ましい。
【００１９】
すなわち、本願発明の更に好ましい形態の通水路形成パイプ部材は、地中連続壁補強用断面Ｈ型の鋼製部材のフランジ部に設けられた穴部において両端が開口した状態で水平なパイプ部が固定されていると共に、この両端が開口した水平なパイプ部に連通する垂直なパイプ部が（好ましくはこの両端が開口した水平なパイプ部の両端近くに接続されて水平なパイプ部に連通する垂直なパイプ部が）地中連続壁補強用断面Ｈ型の鋼製部材のフランジ部とウェブ部の少なくとも一方に固定されているパイプ部材である。
【００２０】
前記した通水路形成パイプ部材において、垂直なパイプ部の位置は、水平なパイプ部の開口部（開口端）よりに接続されておればよく、必ずしも水平なパイプ部の開口部（開口端）に垂直なパイプの外側が接するように設ける必要はないが、水平なパイプ部の開口部に垂直なパイプの外側が接する構造とすると、後述するように通水路の形成が容易になる。
【００２１】
また、水平なパイプ部の開口端に垂直なパイプ部の外側が接する構造とすると、断面Ｈ型の鋼製部材に通水路形成パイプ部材を取り付ける場合は、垂直なパイプ部をフランジ部の内側に沿って位置させることができるので、垂直なパイプ部の位置決めが容易になる。
【００２２】
なお、水平なパイプ部の開口端は断面Ｈ型の鋼製部材のフランジ部に開けた開口よりも外側にでる大きさとし、造成するソイルセメント地中連続壁のより外側に位置させることができるようにすることにより、水平なパイプ部の外側のソイルセメント壁の厚みを薄くすることができる。
【００２３】
また、所定の位置に水平なパイプ部を位置させた後に、水平なパイプ部の外側に位置するソイルセメントの削除を行う際に、該ソイルセメント部の削除が更に容易になるので、水平なパイプ部の開口端は断面Ｈ型の鋼製部材のフランジ部に開けた開口よりも外側にでる大きさとすることが更に好ましい。
【００２４】
また、本願発明の通水路を有する地中連続壁においては、両端が開口した水平なパイプ部とこの水平なパイプ部に接続された垂直なパイプ部とからなり、（好ましくは、垂直なパイプ部が水平なパイプ部の両端近くに設けられていると共に、）垂直なパイプ部と水平なパイプ部が互いに連通している通水路形成パイプ部材が地中連続壁中に埋設され、水平なパイプ部において地中連続壁中を水平に貫通した通水路とされている。
【００２５】
この場合、通水路形成パイプ部材は、地中連続壁補強用断面Ｈ型の鋼製部材のフランジ部に設けられた穴部において両端が開口した状態で水平なパイプ部が固定されていると共に、この両端が開口した水平なパイプ部に連通する垂直なパイプ部（好ましくは、両端が開口した水平なパイプ部の両端近くに接続された水平なパイプ部に連通する垂直なパイプ部）が地中連続壁補強用断面Ｈ型の鋼製部材のフランジ部とウェブ部の少なくとも一方に固定されている。
【００２６】
本願発明の地中連続壁の通水路形成方法は、両端が開口した水平なパイプ部とこの水平なパイプ部に接続された垂直なパイプ部材とからなり、（更に好ましくは、この垂直なパイプ部が水平なパイプ部の両端近くに設けられていると共に、）垂直なパイプ部と水平なパイプ部が互いに連通している通水路形成パイプ部材を、その水平なパイプ部の両端開口を封鎖材で塞いで、ソイルセメントの地中連続壁中に沈設し、ソイルセメントが流動性を失った後、垂直なパイプ部内に下端に横向きの噴射口を有する噴射装置を挿入し、前記水平なパイプ部材内の位置で噴射装置から高圧水を噴射することによりソイルセメントの一部を破砕して地中連続壁に通水路を形成することができる。
【００２７】
なお、水平なパイプ部の両端開口を塞ぐ封鎖材が、本願発明の通水路形成パイプ部材をソイルセメント地中連続壁中に沈設する際に、封鎖材にソイルセメント地中連続壁による圧力がかかった場合でも、封鎖材がその圧力に対抗できるように、通水路形成パイプ部材内に泥水などを充満させて、通水路形成パイプ部材をソイルセメント地中連続壁中に沈設するようにしてもよい。
【００２８】
本願発明の地中連続壁の通水路形成方法においては、通水路形成パイプ部材として、地中連続壁補強用断面Ｈ型の鋼製部材のフランジ部に設けられた穴部において両端が開口した状態で水平なパイプ部が固定されていると共に、この両端が開口した水平なパイプ部に連通する垂直なパイプ部が（更に好ましくは、両端が開口した水平なパイプ部の両端近くに設けられて水平なパイプ部に連通する垂直なパイプ部が）地中連続壁補強用断面Ｈ型の鋼製部材のフランジ部とウェブ部の少なくとも一方に固定されているパイプ部材を使用してもよい。
【００２９】
なお、以上の説明では垂直なパイプ部の本数については具体的に説明しなかったが、両端が開口した水平なパイプ部の両端近くに設けられて水平なパイプ部に連通する垂直なパイプ部とする場合は、水平なパイプ部における両端の開口部の近くまで拡がっている１本の垂直なパイプ部であっても、２本の垂直なパイプ部が水平なパイプ部の両端近くに設けられていると共に、垂直なパイプ部と水平なパイプ部が互いに連通している構造であってもよい。しかし、開口部の近くにドレーン材を充填させることが容易であるために、２本の垂直なパイプ部が水平なパイプ部の両端近くに設けられている方が好ましい。
【００３０】
【発明の実施の形態】
以下に図面を用いて本願発明の実施の形態を説明する。図１の斜視図で例示したように、本願発明の地中連続壁用の通水用パイプ部材１は、両端が開口した水平なパイプ部２と２本の垂直なパイプ部３とからなる。
【００３１】
この垂直なパイプ部３は水平なパイプ部２の両端近くに設けられ、また垂直なパイプ部３と水平なパイプ部２とは互いに連通している。なお、パイプ部２およびパイプ部３の形状は一般的には円筒状のものが好ましいが、四角の筒状やその他の形状のものでもよい。
【００３２】
このパイプ部材１が地中連続壁補強用の断面Ｈ型の鋼製部材４に取り付けられた状態の一例を図２（ａ），（ｂ）に示す。図２（ａ）はパイプ部材１が縦割りになる状態の断面図であり、図２（ｂ）は断面Ｈ型の鋼製部材４をそのウェブ部５の中心部で切断した状態の断面図である。
【００３３】
先ず、図２（ａ）に示されるように、鋼製部材４のフランジ部６に設けられた穴部に水平なパイプ部２を挿通した状態とすることが好ましいが、水平なパイプ部２の両端の開口部が前記した断面Ｈ型の鋼製部材４のフランジ部６に設けられた穴部に向かい合うようにしてもよい。
【００３４】
このように水平なパイプ部２の両端の開口部が外側に鋼材部がないような構造、即ち、断面Ｈ型の鋼製部材４のフランジ部６に設けられた穴部において両端が開口した状態で水平なパイプ部２が固定されておればよい。
【００３５】
このように取り付けるには断面Ｈ型の鋼製部材４のフランジ部６とウェブ部５のいずれか一方に垂直なパイプ部３を固定すればよい。
【００３６】
また、図２（ａ）に示すように、垂直なパイプ部３を断面Ｈ型の鋼製部材４のフランジ部６に沿うようにすることにより、この垂直なパイプ部３は水平なパイプ部２のより両端近くに設けることが可能になる。
【００３７】
そればかりでなく、水平なパイプ部２の両端の開口位置を左右均等に位置させることが可能になる。また、地中連続壁の深さが深い場合、断面Ｈ型の鋼製部材４は縦方向に溶接などの手段で接続する場合があるが、このような場合でも上部側の断面Ｈ型の鋼製部材４に垂直なパイプ部３に連続するパイプを取り付ける場合も、パイプを断面Ｈ型の鋼製部材４のフランジ部６に沿うようにすることにより、パイプ部材１同士の位置合わせが容易になる。このパイプ同士の接合の際には、接合部からパイプ部材１内にソイルセメントが入らないようにすれば良く、例えば接合部にテープを巻くだけでもよい。
【００３８】
図３（ａ）に示すように、断面Ｈ型の鋼製部材を使用することなく、図１に例示したような地中連続壁用の通水用パイプ部材１を使用する場合も、図２に例示したように、断面Ｈ型の鋼製部材４と併用して図３（ｂ）に示すようにして使用する場合も、水平なパイプ部２の開口部は、粘土、パラフィン、蝋等の封鎖材７で塞ぎ、ソイルセメントがパイプ部２内に入らないようにする。
【００３９】
このように水平なパイプ部２の開口端を封鎖材７によって塞いだ状態で、造成されたソイルセメントによる地中連続壁の未硬化状態で流動性を有するソイルセメント８中に、パイプ部材１は沈設され、かつ水平なパイプ部２が地盤中の地下水脈がある透水層１０の位置に存在するようにされる。なお、符号９は非透水性の地盤である。
【００４０】
次に、ソイルセメント８が流動性を失った段階で、図４に示すように、先端に高圧ジェット１２を噴出できる噴射口を横向きに有するロッド１１を地表から垂直なパイプ部３を通して挿入し、水あるいは空気、場合によっては水と共に空気を高圧で噴射することにより、封鎖材７およびその外側に存在するソイルセメント８を破壊して、水平なパイプ部２の開口端を透水層１０に通じる状態にする。
【００４１】
図４では、右側は封鎖材７が存在した状態としているが、左側と同じく先端に高圧ジェット１２を噴出できる噴射口を横向きに有するロッド１１を使用して水平なパイプ部２の開口端を透水層１０に通じる状態にする。この場合に、ロッド１１に適用する圧力は超高圧とすることが一般的に好ましい。
【００４２】
このように、水平なパイプ部２の開口端を透水層１０に通じる通水路１３とした状態を図５（ａ）に示した。この状態で、好ましくは、水平なパイプ部２内に砂利、砕石等のドレーン材１４を沈設することにより、通水路１３内を通して上流側の土砂の下流側への流出を抑えるようにする。例えば、垂直なパイプ部３内を通じて、砂利、砕石等のドレーン材１４を落下させて、水平なパイプ部２内に充填する。
【００４３】
このような水平なパイプ部２を有する地中連続壁用の通水用パイプ部材１を地中連続壁中に、図６（ａ），（ｂ）に示すように適当な間隔で設置する。
【００４４】
すなわち、地下水流の流量等に応じて、通水用パイプ部材１の設置間隔や水平なパイプ部２の断面積の大きさ等を決めればよい。
【００４５】
このようにして、水平なパイプ部２を地下水流の通水路とするが、垂直なパイプ部３内に地上からファイバースコープなどの水流チェック装置（図省略）を降ろして通水状態を監視することができる。
【００４６】
また、水平なパイプ部２で目詰まりを起こして、通水量が落ちている場合は、先端に高圧ジェットを噴出できる噴射口を有するロッドを地表から垂直なパイプ部３を通して挿入し、水あるいは空気、場合によっては水と共に空気を高圧で噴射することにより目詰まりを解消でき、常に所望の通水量を維持させることができる。
【００４７】
このように、洗浄装置を垂直に挿入し、水平なパイプ部２内を洗浄することができ、目詰まりを解消でき、常に所望の通水量を維持させることが出来る。
【００４８】
また、地盤中に地下水脈が存在する透水層１０が上下に複数層存在する場合は、図７（ａ），（ｂ）に例示するように、透水層１０の位置に合わせて水平なパイプ部２が位置するように、通水路用パイプ部材１を配置すればよい。
【００４９】
図７（ａ），（ｂ）において、上部側に位置させた水平なパイプ部２が上部側の透水層１０に位置し、図７において下部側に位置させた水平なパイプ部２が下部側の透水層１０に位置していることを図８に示した。
【００５０】
なお、図９に示すように、地中連続壁を山留め壁として利用し、２つの地中連続壁に囲まれた部分の地盤を掘削する場合に、上部側透水層１０の位置の水平なパイプ部２が存在する場合は、垂直なパイプ部３を通じて先端に高圧ジェット１２を噴出できる噴射口を横向きに有するロッド１１を使用しなくとも、適宜の手段で透水層１０に通じる通水路とし得る。
【００５１】
左右の地中連続壁の間は、図９に例示するように、パイプ１５で繋ぎ、上流側の地下水が下流側に流れるようにすることができる。この場合も垂直なパイプ部３が存在するので、垂直なパイプ部３内に地上からファイバースコープなどの水流チェック装置を降ろして、通水状態を監視することができる。
【００５２】
また、水平なパイプ部２で目詰まりを起こして、通水量が落ちている場合は、先端に高圧ジェットを噴出できる噴射口を有するロッドを地表から垂直なパイプ部３を通して挿入し、水あるいは空気、場合によっては水と共に空気を高圧で噴射することにより目詰まりを解消でき、常に所望の通水量を維持させることができる。
【００５３】
【発明の効果】
本願発明の地中連続壁の通水路形成パイプ部材は、両端が開口した水平なパイプ部とこの水平なパイプ部に接続された垂直なパイプ部とからなり、その水平なパイプ部の両端開口を封鎖材で塞いで、ソイルセメントなどの地中連続壁中に沈設した場合、パイプ内にソイルセメントなどの材料が入り込まないようにしても、ソイルセメント等が流動性を失った後に垂直なパイプ部内に下端に横向きの噴射口を有する噴射装置を挿入し、高圧水を噴射することにより容易に通水路を形成できる。
【００５４】
この場合、通水路はパイプ部材によって形成されているので、確実な形状の通水路とすることができると共に、垂直なパイプ部が水平なパイプ部の両端近くに設けられている場合は、噴射装置の噴射口は開口部の近くであり、確実な通水路を形成できる。
【００５５】
また、使用した噴射装置は用済み次第、地上に回収し、繰り返し再使用できる。また、従来例のように特殊な部材を水平なパイプ部に内在させる必要もないので装置として安価である。
【００５６】
また、垂直なパイプ部を利用して地上からファイバースコープなどの水流チェック装置を降ろして、通水状態を監視することができる。また、水平なパイプ部で目詰まりを起こした場合も、洗浄装置を垂直挿入し、水平なパイプ部内を洗浄することができ、目詰まりを解消でき、常に所望の通水量を維持させることができる。
【００５７】
また、必要な場合は、垂直なパイプ部を利用して水平なパイプ部内に砂利、砕石等のドレーン材を沈設することができる。それにより、通水路内を通して上流側の土砂の下流側への流出を抑えるようにすることができる。例えぱ、垂直なパイプ部内を通じて、砂利、砕石等のドレーン材を落下させて、水平なパイプ部内に充填することが可能である。
【００５８】
さらに、断面Ｈ型の鋼製部材と一体的に構成されている方が地中連続壁の施工の際にパイプ部材の沈設と地中連続壁の補強材としてのＨ型鋼材の沈設が一工程で行えるので好ましい。
【００５９】
また、水平なパイプ部の開口部に垂直なパイプの外側が接する構造とすると、断面Ｈ型の鋼製部材にパイプ部材を固定する場合は、垂直なパイプ部をフランジの内側に沿って位置させることができるので、垂直なパイプ部の位置決めが容易になる。
【００６０】
また、断面Ｈ型の鋼製部材を上下に連続して使用する場合、垂直なパイプ部をフランジ部の内側に沿って位置させていると、上下のパイプ同士の位置あわせが容易になる。
【００６１】
本願発明の通水路を有する地中連続壁は、水平なパイプ部が通水路となると共に、垂直なパイプ部が存在するので通水量の観測や、目詰まりを解消するための洗浄作業を地表面から実施することができる。
【００６２】
そして、本願発明の地中連続壁の通水路形成方法は、水平なパイプ部の両端開口を封鎖材で塞いで、ソイルセメントなどの地中連続壁中に沈設してパイプ内にソイルセメント等の材料が入り込まないようにしても、ソイルセメントが流動性を失った後、垂直なパイプ部内に下端に横向きの噴射口を有する噴射装置を挿入し、水平なパイプ部材内の位置で噴射装置から高圧水を噴射することによりソイルセメントの地中連続壁に通水路を極めて容易に形成することができ、確実に通水路が形成できると共に、通水路はパイプであるので確実な形状の通水路とすることができる。また、使用した噴射装置は用済み次第、地上に回収し、繰り返し、再使用できる。
【図面の簡単な説明】
【図１】本願発明の通水路形成パイプ部材の一例を示す一部斜視図である。
【図２】本願発明の通水路形成パイプ部材を地中連続壁補強用断面Ｈ型の鋼製部材と共に一体化した例を示し、（ａ）は鋼製部材のウェブ部と平行な方向の縦断面図、（ｂ）は鋼製部材のフランジ部と平行な方向の縦断面図である。
【図３】（ａ），（ｂ）は本願発明の通水路形成パイプ部材をソイルセメント中に埋設した状態を示す図である。
【図４】図３の状態から通水可能にする工程を示す図である。
【図５】（ａ），（ｂ）は通水している状態を示す図である。
【図６】通水路形成パイプ部材が配置された地中連続壁を示し、（ａ）はその横断面図、（ｂ）はその縦断面図である。
【図７】地下水路が上下に存在する場合の対処例を示し、（ａ）はその横断面図、（ｂ）はその縦断面図である。
【図８】地下水路が上下に存在する場合の対処例を示す図である。
【図９】地下水路が上下に存在する場合の対処例を示す図である。
【符号の説明】
１　通水路形成パイプ部材（地中連続壁通水用パイプ部材）
２　水平なパイプ部
３　垂直なパイプ部
４　断面Ｈ型の鋼製部材
５　ウェブ部
６　フランジ部
７　封鎖材
８　ソイルセメント
９　非透水性の地盤
１０　透水層
１１　中空ロッド
１２　高圧ジェット
１３　通水路
１４　ドレーン材
１５　パイプ
【図１】
2004092180.tif 000003
【図２】
2004092180.tif 000004
【図３】
2004092180.tif 000005
【図４】
2004092180.tif 000006
【図５】
2004092180.tif 000007
【図６】
2004092180.tif 000008
【図７】
2004092180.tif 000009
【図８】
2004092180.tif 000010
【図９】
2004092180.tif 000011